(57)【要約】 【課題】少なくとも２つの対物レンズを用いて異なる種類の光ディスクを使用可能であるにもかかわらず、光ピックアップ装置をコンパクトにできる液晶ユニット、並びにそれを用いた光ピックアップ装置及びその組み立て方法を提供する。【解決手段】液晶ユニットＬＵは、第１の液晶部ＬＣＤ１と、第２の液晶部ＬＣＤ２を一体的に形成しており、その外側を矩形枠ＦＲで囲っている。矩形枠状のボビンＢの一方の側に、光学素子ユニットＯＵを接着し、他方の側に液晶ユニットＬＵを接着する。これにより対物レンズＯＢＪ１と第２の対物レンズＯＢＪ２の光軸間距離Δを極力詰めることができ、光ピックアップ装置のコンパクト化に貢献する。【選択図】図２
2009087428.tif 000002
【特許請求の範囲】
【請求項１】
単一又は複数の光源と、第１の対物レンズ及び第２の対物レンズを備えた光学素子ユニットとを有し、前記光源からの光束を、前記第１の対物レンズを介して第１光情報記録媒体の情報記録面に集光させることにより、その情報記録面に対して情報の記録及び／又は再生が可能となっており、また前記第２の対物レンズを介して第２光情報記録媒体の情報記録面に集光させることにより、その情報記録面に対して情報の記録及び／又は再生が可能となっている光ピックアップ装置用の液晶ユニットであって、
前記液晶ユニットは、前記第１の対物レンズに対向する第１の液晶部と、当該第１の液晶部と一体的に形成され、前記第２の対物レンズに対向する第２の液晶部とを有することを特徴とする光ピックアップ装置用の液晶ユニット。
【請求項２】
前記第１の液晶部と前記第２の液晶部の液晶パターンの中心間距離は、前記第１の対物レンズと前記第２の対物レンズの光軸間距離に等しいことを特徴とする請求項１に記載の光ピックアップ装置用の液晶ユニット。
【請求項３】
前記第１の対物レンズを介して第１光情報記録媒体の情報記録面に集光スポットを形成するときは、前記第２の液晶部が調光機能を発揮し、前記第２の対物レンズを介して第２光情報記録媒体の情報記録面に集光スポットを形成するときは、前記第１の液晶部が調光機能を発揮することを特徴とする請求項１又は２のいずれかに記載の光ピックアップ装置用の液晶ユニット。
【請求項４】
前記第１の液晶部と前記第２の液晶部は、異なる種類の収差を補正することを特徴とする請求項１〜３のいずれかに記載の光ピックアップ装置用の液晶ユニット。
【請求項５】
前記第１の液晶部と前記第２の液晶部は、共通する枠で囲われており、前記液晶ユニットは、前記枠を介して、前記光学素子ユニットを駆動するボビンに取り付けられていることを特徴とする請求項１〜４のいずれかに記載の光ピックアップ装置用の液晶ユニット。
【請求項６】
前記第１の液晶部と前記第２の液晶部との間に仕切り板が配置されていることを特徴とする請求項１〜５のいずれかに記載の光ピックアップ装置用の液晶ユニット。
【請求項７】
請求項１〜６に記載の液晶ユニットを用いたことを特徴とする光ピックアップ装置。
【請求項８】
単一又は複数の光源と、別個に形成された第１の対物レンズ及び第２の対物レンズを備えた光学素子ユニットとを有し、前記光源からの光束を、前記第１の対物レンズを介して第１光情報記録媒体の情報記録面に集光させることにより、その情報記録面に対して情報の記録及び／又は再生が可能となっており、また前記第２の対物レンズを介して第２光情報記録媒体の情報記録面に集光させることにより、その情報記録面に対して情報の記録及び／又は再生が可能となっている光ピックアップ装置の組立方法であって、
第１の液晶部と、当該第１の液晶部と一体的に形成された第２の液晶部とを有する液晶ユニットを、ボビンを介して前記光学素子ユニットに連結する際に、前記第１の液晶部の液晶パターンの中心を、前記第１の対物レンズの光軸と一致させるように取り付けた後、前記第２の液晶部の液晶パターンの中心を、前記第２の対物レンズの光軸と一致させるように取り付けることを特徴とする光ピックアップ装置の組立方法。
【請求項９】
単一又は複数の光源と、一体的に構成された第１の対物レンズ及び第２の対物レンズを備えた光学素子ユニットとを有し、前記光源からの光束を、前記第１の対物レンズを介して第１光情報記録媒体の情報記録面に集光させることにより、その情報記録面に対して情報の記録及び／又は再生が可能となっており、また前記第２の対物レンズを介して第２光情報記録媒体の情報記録面に集光させることにより、その情報記録面に対して情報の記録及び／又は再生が可能となっている光ピックアップ装置の組立方法であって、
第１の液晶部と、当該第１の液晶部と一体的に形成された第２の液晶部とを有する液晶ユニットを、ボビンを介して前記光学素子ユニットに連結する際に、一方の液晶部の液晶パターンの中心を、これに対応する対物レンズの光軸と一致させるように位置決めした後、当該光軸周りに、相対的に前記光学素子及び前記液晶ユニットを回動させることにより、他方の液晶部の液晶パターンの中心と、これに対応する対物レンズの光軸と一致させるように位置決めし、次いで固着することを特徴とする光ピックアップ装置の組立方法。
【発明の詳細な説明】
【技術分野】
【０００１】
本発明は、異なる種類の光情報記録媒体（光ディスクともいう）に対して情報の記録及び／又は再生を行える光ピックアップ装置用の液晶ユニット、光ピックアップ装置及びその組み立て方法に関する。 
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（以下、ＢＤという）では、ＤＶＤ（ＮＡ０．６、光源波長６５０ｎｍ、記憶容量４．７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ ＤＶＤ（以下、ＨＤという）では、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。
【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録／再生ができるようにすることが望まれている。更に、光ピックアップ装置がノート型パソコン等に搭載されることも考慮すると、複数種の光ディスクに対する互換性を有するのみでは足らず、そのコンパクト化を更に推進する事が重要である。
【０００４】
ここで、光ピックアップ装置において、単一の対物レンズを用いて異なる光ディスクの互換使用が可能になれば、コンパクト化を実現する上で好ましいと言える。ところが、高密度光ディスクの仕様を考慮すると、対物レンズの共通化を図ることは技術的に困難であると言える。例えば、ＢＤとＨＤとでは、保護基板厚が異なるにも関わらず、同じ波長の光束を使用するので、回折構造を用いて収差補正を行うことができず、対物レンズの共通化が難しいという実情がある。
【０００５】
このように、互換可能な光ピックアップ装置において、対物レンズの「共通化」と「コンパクト化」を両立させ、更に好ましい光学性能を得るためには、対物レンズを並列に並べて一体成形した複合光学素子を用いることが考えられる。このような複合光学素子は、個々に成形した２つの対物レンズを用いる場合に比べて、フランジ部を共通化できるため、対物レンズ間の間隔を狭められるというメリットがある。また、組み立て調整の簡易化や低コスト化を図ることができるというメリットもある。このような複合光学素子の例としては、特許文献１に記載されたものがある。
【特許文献１】特表２００５−５１２２５３号公報
【特許文献２】特開２００５−１５８１０２号公報
【発明の開示】
【発明が解決しようとする課題】
【０００６】
ところで、現在市販されている光ディスクは、ＢＤ、ＨＤ、ＤＶＤ、ＣＤと４種類あるために、２つの対物レンズで、２種類の光ディスクに対応させようとすると、例えば保護基板の厚さに起因する球面収差を補正するために、何らかの収差補正手段を設ける必要がある。このような収差補正手段としては、特許文献２に示すような液晶素子が知られている。しかるに、汎用の液晶素子は単一の液晶パターンを有しているために、２つの液晶素子を並設するとなると、上述した複合光学素子における、対物レンズ間の間隔を狭められるというメリットを十分に享受できないという問題がある。
【０００７】
本発明は、かかる従来技術の問題点に鑑みてなされたものであり、少なくとも２つの対物レンズを用いて異なる種類の光ディスクを使用可能であるにもかかわらず、光ピックアップ装置をコンパクトにできる液晶ユニット、並びにそれを用いた光ピックアップ装置及びその組み立て方法を提供することを目的とする。
【課題を解決するための手段】
【０００８】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。 
【０００９】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。第１の対物レンズにより情報記録面に集光される光ディスクは、ＢＤ、ＨＤ、ＤＶＤ、ＣＤのいずれでも良く、第２の対物レンズにより情報記録面に集光される光ディスクは、ＢＤ、ＨＤ、ＤＶＤ、ＣＤのいずれでも良いが、少なくとも第１の対物レンズは高密度光ディスク用とするのが好ましい。
【００１０】
請求項１に記載の光ピックアップ装置用の液晶ユニットは、単一又は複数の光源と、第１の対物レンズ及び第２の対物レンズを備えた光学素子ユニットとを有し、前記光源からの光束を、前記第１の対物レンズを介して第１光情報記録媒体の情報記録面に集光させることにより、その情報記録面に対して情報の記録及び／又は再生が可能となっており、また前記第２の対物レンズを介して第２光情報記録媒体の情報記録面に集光させることにより、その情報記録面に対して情報の記録及び／又は再生が可能となっている光ピックアップ装置用の液晶ユニットであって、
前記液晶ユニットは、前記第１の対物レンズに対向する第１の液晶部と、当該第１の液晶部と一体的に形成され、前記第２の対物レンズに対向する第２の液晶部とを有することを特徴とする。
【００１１】
本発明によれば、前記液晶ユニットが、前記第１の対物レンズに対向する第１の液晶部と、当該第１の液晶部と一体的に形成され、前記第２の対物レンズに対向する第２の液晶部とを有するので、それらの液晶パターン同士の間隔を狭めることができ、コンパクトな光ピックアップ装置を提供できる。
【００１２】
請求項２に記載の光ピックアップ装置用の液晶ユニットは、請求項１に記載の発明において、前記第１の液晶部と前記第２の液晶部の液晶パターンの中心間距離は、前記第１の対物レンズと前記第２の対物レンズの光軸間距離に等しいことを特徴とする。
【００１３】
請求項３に記載の光ピックアップ装置用の液晶ユニットは、請求項１又は２に記載の発明において、前記第１の対物レンズを介して第１光情報記録媒体の情報記録面に集光スポットを形成するときは、前記第２の液晶部が調光機能を発揮し、前記第２の対物レンズを介して第２光情報記録媒体の情報記録面に集光スポットを形成するときは、前記第１の液晶部が調光機能を発揮することを特徴とする。ここで、「調光機能」とは、一方の対物レンズを介して光情報記録媒体の情報記録面に集光スポットを形成するときは、使用しない他方の対物レンズに光源からの光束が入射しないように遮光すること、又は一方の対物レンズを介して光情報記録媒体の情報記録面に集光スポットを形成するときは、使用しない他方の対物レンズを介して光情報記録媒体の情報記録面に集光スポットを形成しないよう（例えばフレア光となるよう）に収差を与えることなどを含む。
【００１４】
また、液晶部は、上述のような実質的な遮光機能ばかりでなく、好適な集光スポット形成に寄与するための作用を与えることも出来る。たとえば、２層以上の多層ディスクに対応するために微小な球面収差を付加する補正、温度変動によって生じる収差の補正、レンズシフト・レンズチルトによって生じる非対称な収差の補正を行うことができる。とくに高ＮＡの対物レンズに対して、このような補正をすることが好ましい。
【００１５】
請求項４に記載の光ピックアップ装置用の液晶ユニットは、請求項１〜３のいずれかに記載の発明において、前記第１の液晶部と前記第２の液晶部は、異なる種類の収差を補正することを特徴とする。異なる種類の収差とは、「互換光ピックアップ装置において情報の記録及び／又は再生を可能な異なる種類の光ディスクの保護基板厚さに起因して発生する球面収差」、「温度変化に起因して生じる球面収差」、「光源の波長変動に起因して発生する収差」などをいう。
【００１６】
請求項５に記載の光ピックアップ装置用の液晶ユニットは、請求項１〜４のいずれかに記載の発明において、前記第１の液晶部と前記第２の液晶部は、共通する枠で囲われており、前記液晶ユニットは、前記枠を介して、前記光学素子ユニットを駆動するボビンに取り付けられていることを特徴とする。
【００１７】
請求項６に記載の光ピックアップ装置用の液晶ユニットは、請求項１〜５のいずれかに記載の発明において、前記第１の液晶部と前記第２の液晶部との間に仕切り板が配置されていることを特徴とするので、一方の対物レンズを介して光情報記録媒体の情報記録面に集光スポットを形成するときは、使用しない他方の対物レンズに光源からの光束が入射しないように遮光することができる。
【００１８】
請求項７に記載の光ピックアップ装置は、請求項１〜６に記載の液晶ユニットを用いたことを特徴とする。
【００１９】
請求項８に記載の光ピックアップ装置の組立方法は、単一又は複数の光源と、別個に形成された第１の対物レンズ及び第２の対物レンズを備えた光学素子ユニットとを有し、前記光源からの光束を、前記第１の対物レンズを介して第１光情報記録媒体の情報記録面に集光させることにより、その情報記録面に対して情報の記録及び／又は再生が可能となっており、また前記第２の対物レンズを介して第２光情報記録媒体の情報記録面に集光させることにより、その情報記録面に対して情報の記録及び／又は再生が可能となっている光ピックアップ装置の組立方法であって、
第１の液晶部と、当該第１の液晶部と一体的に形成された第２の液晶部とを有する液晶ユニットを、ボビンを介して前記光学素子ユニットに連結する際に、前記第１の液晶部の液晶パターンの中心を、前記第１の対物レンズの光軸と一致させるように取り付けた後、前記第２の液晶部の液晶パターンの中心を、前記第２の対物レンズの光軸と一致させるように取り付けることを特徴とする。
【００２０】
本発明によれば、部品外形形状精度に関わりなく、前記第１及び第２の液晶部の液晶パターンの中心を、前記第１及び第２の対物レンズの光軸と一致させることができる。
【００２１】
請求項９に記載の光ピックアップ装置の組立方法は、単一又は複数の光源と、一体的に構成された第１の対物レンズ及び第２の対物レンズを備えた光学素子ユニットとを有し、前記光源からの光束を、前記第１の対物レンズを介して第１光情報記録媒体の情報記録面に集光させることにより、その情報記録面に対して情報の記録及び／又は再生が可能となっており、また前記第２の対物レンズを介して第２光情報記録媒体の情報記録面に集光させることにより、その情報記録面に対して情報の記録及び／又は再生が可能となっている光ピックアップ装置の組立方法であって、
第１の液晶部と、当該第１の液晶部と一体的に形成された第２の液晶部とを有する液晶ユニットを、ボビンを介して前記光学素子ユニットに連結する際に、一方の液晶部の液晶パターンの中心を、これに対応する対物レンズの光軸と一致させるように位置決めした後、当該光軸周りに、相対的に前記光学素子及び前記液晶ユニットを回動させることにより、他方の液晶部の液晶パターンの中心と、これに対応する対物レンズの光軸と一致させるように位置決めし、次いで固着することを特徴とする。
【００２２】
本発明によれば、一体的に形成された前記第１及び第２の液晶部の液晶パターンの中心を、一体的に形成された前記第１及び第２の対物レンズの光軸とを容易に一致させることができる。
【００２３】
本明細書中において、対物レンズとは、狭義には光ピックアップ装置に光情報記録媒体を装填した状態において、最も光情報記録媒体側の位置で、これと対向すべく配置される集光作用を有するレンズを指すものとする。
【発明の効果】
【００２４】
本発明によれば、少なくとも２つの対物レンズを用いて異なる種類の光ディスクを使用可能であるにもかかわらず、光ピックアップ装置をコンパクトにできる液晶ユニット、並びにそれを用いた光ピックアップ装置及びその組み立て方法を提供することができる。
【発明を実施するための最良の形態】
【００２５】
以下、本発明の実施の形態について図面を用いて説明する。尚、本実施の形態にかかる光ピックアップ装置ＰＵ１は、光ディスクドライブ装置に組み込むことが可能である。図１は、光ピックアップ装置ＰＵ１の概略構成を示す図である。
【００２６】
光ピックアップ装置ＰＵ１は、第１光情報記録媒体であるＢＤ（又はＨＤ）に対して情報の記録／再生を行う場合に発光され波長λ１＝４０７ｎｍの青紫色レーザ光束（第１光束）を射出する第１の発光点ＥＰ１（第１光源）と、第３光情報記録媒体であるＤＶＤに対して情報の記録／再生を行う場合に発光され波長λ２＝６５５ｎｍのレーザ光束（第２光束）を射出する第２の発光点ＥＰ２（第２光源）と、ＢＤ（又はＨＤ）の情報記録面ＲＬ１からの反射光束を受光する第１の受光部ＤＳ１と、ＤＶＤの情報記録面ＲＬ２からの反射光束を受光する第２の受光部ＤＳ２と、プリズムＰＳとから構成されたレーザモジュールＬＭ、及び第２光情報記録媒体であるＣＤに対して情報の記録／再生を行う場合に発光され波長λ３＝７８５ｎｍのレーザ光束（第３光束）を射出する第３の光源と、光検出器とを一体化した発光部・受光部一体型光源ユニットであるホログラムレーザＨＬと、光学素子ユニットＯＵと、液晶ユニットＬＵとを有している。光学素子ユニットＯＵと液晶ユニットＬＵは、ボビンＢに取り付けられてアクチュエータＡＣ１により駆動されるようになっている。
【００２７】
本実施の形態においては、光ディスクに対向して光学素子ユニットＯＵが配置されている。図２は、本実施の形態にかかる光学素子ユニットＯＵと液晶ユニットＬＵとを、ボビンＢに組み付ける状態を示す斜視図である。光学素子ユニットＯＵは、第１の対物レンズＯＢＪ１と第２の対物レンズＯＢＪ２とを矩形板状のフランジＦＬで連結するようにして、樹脂から一体的に形成している。液晶ユニットＬＵは、第１の液晶パターンＰＴ１を有する第１の液晶部ＬＣＤ１と、第２の液晶パターンＰＴ２を有する第２の液晶部ＬＣＤ２を一体的に形成しており、その外側を矩形枠ＦＲで囲っている。矩形枠ＦＲ内には、液晶駆動用の配線が通っている。矩形枠状のボビンＢの一方の側に、光学素子ユニットＯＵを接着し、他方の側に液晶ユニットＬＵを接着する。このとき、先にボビンＢに取り付けたユニットの光軸又はパターン中心に合わせて、後から取り付けるユニットのパターン中心又は光軸とを合わせるようにすればよい。尚、第１の液晶部ＬＣＤ１の液晶パターンＰＴ１と第２の液晶部ＬＣＤ２の液晶パターンＰＴ２の中心間距離は、第１の対物レンズＯＢＪ１と第２の対物レンズＯＢＪ２の光軸間距離Δに等しくなるように設定されている。
【００２８】
図３は、光学素子ユニットＯＵと、比較例として示す別体の液晶素子ＬＣＤ１’、ＬＣＤ２’とを、ボビンＢに組み付ける状態を示す斜視図である。別体の液晶素子ＬＣＤ１’、ＬＣＤ２’とは、それぞれ矩形枠ＦＲ１，ＦＲ２を有するので、液晶パターンＰＴ１，ＰＴ２の中心間距離が大きくなり、それに従い、第１の対物レンズＯＢＪ１と第２の対物レンズＯＢＪ２の光軸間距離Δ’が大きくなる（Δ’＞Δ）。従って、光ピックアップ装置ＰＵ１の光軸直交方向のサイズが拡大し、構成の大型化を招くこととなる。これに対し、図２に示す本実施の形態の場合、対物レンズＯＢＪ１と第２の対物レンズＯＢＪ２の光軸間距離Δを極力詰めることができ、光ピックアップ装置のコンパクト化に貢献する。
【００２９】
尚、本実施の形態において、第１の液晶部ＬＣＤ１と第２の液晶部ＬＣＤ２とは、異なる種類の収差を補正するように構成することもできる。
【００３０】
光ピックアップ装置ＰＵ１において、ＢＤ（又はＨＤ）に対して情報の記録／再生を行う場合には、図１に示す位置にボビンＢを移動させ、第１の対物レンズＯＢＪ１を光路内に挿入し、第１の発光点ＥＰ１を発光させる。第１の発光点ＥＰ１から射出された発散光束は、図１において実線でその光線経路を描いたように、コリメータＣＯＬにより平行光束に変換され、ビームスプリッタＢＳを通過し、更に平行光束の状態で第１の液晶部ＬＣＤ１を通過して、第１の対物レンズＯＢＪ１に平行光の状態で入射した後、第１有効径内領域を通過した光束は、ＢＤ（又はＨＤ）の保護基板ＰＬ１を介して情報記録面ＲＬ１上に形成されるスポットとなるが、第１有効径外領域を通過した光束はオーバーのフレア光となるので、これにより絞り機能が発揮される。第１の対物レンズＯＢＪ１は、２軸アクチュエータＡＣ１によってボビンＢごと駆動されフォーカシングやトラッキングを行う。
【００３１】
情報記録面ＲＬ１で情報ピットにより変調された反射光束は、再び第１の対物レンズＯＢＪ１、第１の液晶部ＬＣＤ１、ビームスプリッタＢＳ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＢＤ（又はＨＤ）に記録された情報を読み取ることができる。ＢＤ（又はＨＤ）の記録・再生時の温度変化により生じる球面収差や、２層ディスク使用による球面収差はコリメータＣＯＬを駆動させて補正する。
【００３２】
光ピックアップ装置ＰＵ１において、ＤＶＤに対して情報の記録／再生を行う場合には、図１に示す位置にボビンＢを移動させ、第１の対物レンズＯＢＪ１を光路内に挿入し、第２の発光点ＥＰ２を発光させる。第２の発光点ＥＰ２から射出された発散光束は、図１において二点鎖線でその光線経路を描いたように、コリメータＣＯＬにより平行光束に変換され、ビームスプリッタＢＳを通過し、第１の液晶部ＬＣＤ１で有効領域内の光束は弱発散光束に変換され、第２の対物レンズＯＢＪ２に有限発散光束の状態で入射するが、有効領域外の光束はフレア光となって情報記録面に集光されない。有効径内領域（最大有効径内領域）を通過した光束は、ＤＶＤの保護基板ＰＬ２を介して情報記録面ＲＬ２上に形成されるスポットとなる。対物レンズＯＢＪ１は、２軸アクチュエータＡＣ１によってボビンＢごと駆動されフォーカシングやトラッキングを行う。 
【００３３】
情報記録面ＲＬ２で情報ピットにより変調された反射光束は、再び第１の対物レンズＯＢＪ１、第１の液晶部ＬＣＤ１、ビームスプリッタＢＳ及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＤＶＤに記録された情報を読み取ることができる。
【００３４】
光ピックアップ装置ＰＵ１において、ＣＤに対して情報の記録／再生を行う場合には、図１に示す位置からボビンＢを図で上方へと移動させ、第２の対物レンズＯＢＪ２を光路内に挿入し、ホログラムレーザＨＬを発光させる。ホログラムレーザＨＬから射出された発散光束は、図１において点線でその光線経路を描いたように、ビームスプリッタＢＳで反射され、第２の液晶部ＬＣＤ２を通過し、第２の対物レンズＯＢＪ２に有限発散光束の状態で入射した後、そこからＣＤの保護基板ＰＬ３を介して情報記録面ＲＬ３上に形成されるスポットとなる。第２の対物レンズＯＢＪ２は、２軸アクチュエータＡＣ１によってボビンＢごと駆動されフォーカシングやトラッキングを行う。 
【００３５】
情報記録面ＲＬ３で情報ピットにより変調された反射光束は、再び第２の対物レンズＯＢＪ２、第２の液晶部ＬＣＤ２を通過し、ビームスプリッタＢＳで反射された後、ホログラムレーザＨＬに入射し、光検出器の受光面に収束する。そして、光検出器の出力信号を用いてＣＤに記録された情報を読み取ることができる。
【００３６】
なお、本実施の形態においては、ボビンＢが光軸と垂直方向に移動する構成であるが、必ずしもこの態様に限られるものではない。たとえば、ＢＤ（又はＨＤ）用の専用光学系と、ＤＶＤ／ＣＤ用の光学系とを別個に設ける構成とすることもできる。この場合、多少大型になるものの、ＤＶＤ／ＣＤの光学系は、２波長一体型半導体レーザー光源ユニットをはじめ、現在普及している光学系の構成をそのまま流用することができるため、低コストとすることができる。ＢＤ（又はＨＤ）用の専用光学系には、ビームエキスパンダや、その他の可動光学素子を配置して、よりアクティブな補正が可能となるようにせしめることができる。
【００３７】
図４は、本実施の形態の変形例にかかる光学素子ユニットＯＵと液晶ユニットＬＵとを、ボビンＢに組み付ける状態を示す斜視図である。本変形例においては、第１の対物レンズＯＢＪ１と第２の対物レンズＯＢＪ２とは別体で成形された後、フランジＦＬの孔ＨＬ１，ＨＬ２にそれぞれ組み付けられて一体の光学素子ユニットＯＵを形成している。従って、第１の対物レンズＯＢＪ１と第２の対物レンズＯＢＪ２とは別な素材（例えば、一方はガラス、他方は樹脂等）から成形することもできる。液晶ユニットＬＵは上述した実施の形態と同様である。尚、後述する組み付け時の調整のために、孔ＨＬ１，ＨＬ２の少なくとも一方を長孔状として、第１の対物レンズＯＢＪ１と第２の対物レンズＯＢＪ２との光軸間距離を位置調整可能とすることが望ましい。
【００３８】
本変形例の組み付け時、液晶ユニットＬＵと光学素子ユニットＯＵとをボビンＢを介して連結する際に、第１の液晶部ＬＣＤ１の液晶パターンＰＴ１の中心を、第１の対物レンズＯＢＪ１の光軸と一致させるように取り付けた後、第２の液晶部ＬＣＤ２の液晶パターンＰＴ２の中心を、第２の対物レンズＯＢＪ２の光軸と一致させるように取り付けると好ましい。通常は、高密度光ディスク用である第１の液晶部ＬＣＤ１と第１の対物レンズＯＢＪ１との偏心度の許容範囲が狭いことから、その偏心度を優先して小さく抑えるためである。
【００３９】
また、組み付け方法について、回動を利用した位置決め調整方法も採用可能である。具体的には、図４を参照して、まず対物レンズＯＢＪ１とＯＢＪ２とがフランジＦＬを介して一体に構成された光学素子ユニットＯＵのうち、第１の対物レンズＯＢＪ１の光軸Ｘ１と、これに対応する液晶ユニットＬＵの第１の液晶部ＬＣＤ１の液晶パターンＰＴ１の中心とを一致させる。ついで、当該光軸Ｘ１を中心として、相対的に液晶ユニットＬＵと光学素子ユニットＯＵとを回動させることにより、第２の対物レンズＯＢＪ２の光軸Ｘ２と、これに対応する液晶ユニットＬＵの第２の液晶部ＬＣＤ２の液晶パターンＰＴ２の中心とを一致させる。
【００４０】
これらの回動調整作業については、不図示の治具を用いて、突き当てによる位置決め調整を行うことが好ましい。なお、まず最初に性能の要求の厳しい対物レンズ（ここでは第１の対物レンズ部ＯＢＪ１）側の光軸合わせを行い、ついで回動により他方の光軸調整を行うことが好ましいが、治具の性能により、逆の手順としても良い。そして双方の光軸位置を決定したら、接着剤塗布（好ましくはＵＶ硬化型）を行い、紫外線ランプによる硬化による固着を行う。接着剤の効果作業についても、知られている通り、紫外線照射による仮硬化を行い、ついで熱による本硬化を行うようにしてもよい。この場合、バッチ処理が可能となり、生産効率を高めることができる。
【００４１】
図５は、別な実施の形態にかかる液晶ユニットＬＵの斜視図である。本実施の形態では、第１の液晶部ＬＣＤ１と、第２の液晶部ＬＣＤ２との間に、仕切り板ＰＴＰを配置している。仕切り板ＰＴＰは、図１に点線で示すように、光学素子ユニットＯＵのフランジＦＬに当接するように設置されることにより、不要光が対物レンズや光検出器に入射することを抑制できる。尚、ボビン側に仕切り板を形成しても良い。
【００４２】
図６は、別な実施の形態にかかる液晶ユニットＬＵの斜視図である。本実施の形態の液晶ユニットＬＵは、例えばＢＤ用の対物レンズと、ＣＤ用の対物レンズと、ＨＤ／ＤＶＤ用の対物レンズとをこの順序で直線上に並設した光学素子ユニット（不図示）に対応するものである。液晶ユニットＬＵは、ＢＤ用の液晶部ＬＣＤ１と、ＨＤ／ＤＶＤ用の液晶部ＬＣＤ２との間に、円形開口ＡＰを有している。ＣＤの使用時には、必ずしも収差補正が必要でなく、その場合には円形開口ＡＰを通過した光束をＣＤ用の対物レンズに入射させれば足りるからである。但し、ＣＤ用の液晶部を設けて、ＣＤ使用時には光を透過する透過状態に、またＣＤ不使用時には光を不透過とする遮光状態に、選択的に切り換えても良い。
【００４３】
又、このように液晶部を３つ設ける場合、光学素子ユニットを同様の形にすることを前提に、トライアングル状に配置しても良いし、
【００４４】
図７は、別な実施の形態にかかる液晶ユニットＬＵの斜視図である。本実施の形態では、光ディスクの種類に応じて４種類の液晶部ＬＣＤ１〜ＬＣＤ４を有している。尚、例えばＣＤ使用時に収差補正が必要でない場合、液晶部の代わりに開口を形成しても良い。
【００４５】
以上、本発明を実施の形態を参照して説明してきたが、本発明は上記実施の形態に限定して解釈されるべきではなく、適宜変更・改良が可能であることはもちろんである。例えば、各液晶部を通過する光束の径は、等しくても異なっていても良い。
【図面の簡単な説明】
【００４６】
【図１】光ピックアップ装置ＰＵ１の構成を概略的に示す図である。
【図２】本実施の形態にかかる光学素子ユニットＯＵと液晶ユニットＬＵとを、ボビンＢに組み付ける状態を示す斜視図である。
【図３】光学素子ユニットＯＵと、比較例として示す別体の液晶素子ＬＣＤ１’、ＬＣＤ２’とを、ボビンＢに組み付ける状態を示す斜視図である。
【図４】本実施の形態の変形例にかかる光学素子ユニットＯＵと液晶ユニットＬＵとを、ボビンＢに組み付ける状態を示す斜視図である。
【図５】別な実施の形態にかかる液晶ユニットＬＵの斜視図である。
【図６】別な実施の形態にかかる液晶ユニットＬＵの斜視図である。
【図７】別な実施の形態にかかる液晶ユニットＬＵの斜視図である。
【符号の説明】
【００４７】
ＡＣ１ ２軸アクチュエータ
ＡＰ 円形開口
Ｂ ボビン
ＢＳ ビームスプリッタ
ＣＯＬ コリメータ
ＤＳ１ 第１の受光部
ＤＳ２ 第２の受光部
ＥＰ１ 第１の発光点
ＥＰ２ 第２の発光点
ＦＬ フランジ
ＦＲ 矩形枠
ＨＬ ホログラムレーザ
ＬＣＤ１ 第１の液晶部
ＬＣＤ２ 第２の液晶部
ＬＣＤ１〜ＬＣＤ４ 液晶部
ＬＭ レーザモジュール
ＬＵ 液晶ユニット
ＯＢＪ１ 第１の対物レンズ
ＯＢＪ２ 第２の対物レンズ
ＯＵ 光学素子ユニット
ＰＬ１ 保護基板
ＰＬ２ 保護基板
ＰＬ３ 保護基板
ＰＳ プリズム
ＰＴ１ 液晶パターン
ＰＴ２ 液晶パターン
ＰＴＰ 仕切り板
ＰＵ１ 光ピックアップ装置
ＲＬ１ 情報記録面
ＲＬ２ 情報記録面
ＲＬ３ 情報記録面
【図１】
2009087428.tif 000003
【図２】
2009087428.tif 000004
【図３】
2009087428.tif 000005
【図４】
2009087428.tif 000006
【図５】
2009087428.tif 000007
【図６】
2009087428.tif 000008
【図７】
2009087428.tif 000009